(57)【特許請求の範囲】
【請求項１】
フレームと、
前記フレームの上部に設けられたベンチと、
一端が前記フレームの底部に固定して設けられた油圧シリンダーと、
一端が前記フレームの一側端に固定して設けられたゴムひも又はバネと、
前記フレームの他側端に固定して設けられた滑車と、
前記ベンチに該ベンチの長手方向に摺動可能に設けられたフットプレートと、
一端がベアリングを介して前記フレームの底部に回動可能に固定され、且つ、他端が前記ゴムひも又はバネの他端に接続されることにより、該ゴムひも又はバネの弾性により回動可能である強弱調節棒と、
一端が前記フットプレートに接続され、且つ、他端が、該一端との間で前記滑車を介して、前記強弱調節棒の前記他端及び前記ゴムひも又はバネの前記他端に接続されるワイヤ又はベルトと、を含み、
前記油圧シリンダーの他端は、前記強弱調節棒上において該強弱調節棒の長手方向に沿って往復移動できるように、前記強弱調節棒に接続されている、油圧シリンダー付レッグプレス。
【請求項２】
前記強弱調節棒に付着された強弱調整用固定バンドを更に含み、
前記油圧シリンダーの他端は、前記強弱調整用固定バンドを介して前記強弱調節棒の長手方向に沿って移動する、請求項1に記載の油圧シリンダー付レッグプレス。
【請求項３】
シートの背もたれと前記フットプレートとの前記長手方向における間隔をワンタッチ式で調節することにより、背の高い又は低い利用者が脚の長さに応じて下半身をトレーニングすることができる請求項1に記載の油圧シリンダー付レッグプレス。
【請求項４】
複数本の細めのゴムひもが、編まれた糸で包まれている、請求項1に記載の油圧シリンダー付レッグプレス。
【発明の詳細な説明】
【技術分野】
【０００１】
本発明は、身体の種々の部位を強化、鍛錬、調整するための運動器具に関するものであって、特に、ウェイトを挙げる(weight lifting)運動器具に関するものである。
【０００２】
筋力や持久力を向上させるためには、規則的に運動することがとても重要である。しかし、現代人は、忙しい生活のため運動をやり続けることが容易ではなく、運動量が乏しいことが問題となっている。
【０００３】
ここに、血行や心肺機能を活性化し、かつ、骨密度の高めるためには、ウェイトトレーニングに類えるものがない。
【０００４】
そこで、身体の種々の部位を鍛錬するために全身において筋肉を均一に鍛え、尚且つ、家族が共に運動できるように、１つの運動器具にて複数のトレーニングをすることが可能な運動器具が求められる。
【０００５】
しかし、従来の運動器具は、例えば、10kgの重りを12〜15個を集めたうえ、これらをロープでつなげることにより、その重量が該運動器具に伝わるようになっているため、該運動器具のボリュームや重量が大き過ぎると共に、ユーザーの筋肉量が増えることにつれてウェイトを増やす場合、10kg単位にしか増やすことができないため、常に怪我の恐れに晒される問題点を有する。
【０００６】
ここに、本発明は、15個の10kg重りを用いず、油圧シリンダーの接続部に、10kgから200kgまで強弱を調節可能な強弱調節装置が設けられている運動器具であって、サイズがコンパクトである共に、ウェイトの調節が簡単で、ベンチに座ったままトレーニングすることが可能なウェイトトレーニング運動器具、具体的には、レッグプレスに関するものである。
【０００７】
上記のトレーニングすることが可能な本発明は、ベンチと一体として該ベンチの下端部に油圧シリンダーを設け、該油圧シリンダーの接続部に、てこの原理を利用して容易に強弱を調節することが可能な強弱調節装置を設けることにより、下半身をトレーニングすることが可能になった。
【背景技術】
【０００８】
従来の総合運動器具は、例えば、15個の10kg重りを集めたうえ、これらをロープでつなげることにより、その重量が該運動器具に伝わるようになっているため、該運動器具のボリュームや重量が大き過ぎると共に、ウェイトを増やす場合、10kg単位でしか増やすことができないため、怪我の恐れに晒される問題点があった。
【発明の概要】
【発明が解決しようとする課題】
【０００９】
本発明は、15個の10kg重りを用いず、油圧シリンダーの接続部に、10kgから200kgまで強弱を調節可能な強弱調節装置が設けられている総合運動器具であって、サイズがコンパクトである共に、ウェイトの調節が簡単で、ベンチに座ったままトレーニングすることが可能なウェイトトレーニング運動器具、具体的には、レッグプレスを提供することを、その目的とする。
【課題を解決するための手段】
【００１０】
上記トレーニングをすることが可能な本発明の油圧シリンダー付レッグプレスは、フレームと、前記フレームの上部に設けられたベンチと、一端が前記フレームの底部に固定して設けられた油圧シリンダーと、一端が前記フレームの一側端に固定して設けられたゴムひも又はバネと、前記フレームの他側端に固定して設けられた滑車と、前記ベンチに該ベンチの長手方向に摺動可能に設けられたフットプレートと、一端がベアリングを介して前記フレームの底部に回動可能に固定され、且つ、他端が前記ゴムひも又はバネの他端に接続されることにより、該ゴムひも又はバネの弾性により回動可能である強弱調節棒と、一端が前記フットプレートに接続され、且つ、他端が、該一端との間で前記滑車を介して、前記強弱調節棒の前記他端及び前記ゴムひも又はバネの前記他端に接続されるワイヤ又はベルトと、を含み、前記油圧シリンダーの他端は、前記強弱調節棒上において該強弱調節棒の長手方向に沿って往復移動できるように、前記強弱調節棒に接続されている。
【発明の効果】
【００１１】
本発明は、15個の10kg重りを用いず、フレームと一体として該フレームの底部に油圧シリンダーを設け、該油圧シリンダーの接続部に、てこの原理を利用して強弱を調節することが可能な強弱調節装置を設け、中央フレームにおいてスムーズにベンチの長手方向に移動することが可能なフットプレートに滑車とワイヤを設けることにより、ベンチに座ったまま、10kgから200kgまで下半身をトレーニングすることができるウェイトトレーニング効果が期待できる。
【図面の簡単な説明】
【００１２】
【図１】本発明の使用状態を示す左側面図である。
【図２】本発明における油圧シリンダーを示す図面である。
【図３】本発明における油圧シリンダーに対してこの機能を有する強弱調節装置の断面図である。
【図４】本発明において強弱の調整を１mm単位で行うことができるように考案されたグリップの平面図である。
【図５】本発明においてワイヤの長さを調節できるように考案された装置の断面図である。
【図６】本発明において騒音や左右の揺れを防止するために考案されたジョイント部位のベアリングの断面図である。
【図７】本発明において弾性を持つ複数本からなるゴムひもを示す図面である。
【図８】本発明におけるワイヤローラーを示す図面である。
【図９】本発明における回動可能なフットプレートを示す図面である。
【図１０】本発明におけるフットプレートを固定するゴムを示す図面である。
【図１１】本発明におけるフットプレート内部のベアリングを示す図面である。
【図１２】本発明における背もたれを前後方向に移動させる装置を示す図面である。
【発明を実施するための形態】
【００１３】
以下、添付の図面に従い、本発明の技術的構成を詳細に説明する。
【００１４】
図1は、本発明の使用状態を示しており、図2に示された油圧シリンダー200は、200kgの運動器具に適するように、油圧油の粘度を最適に調節しており、棒状の油圧シリンダーの接続部には、図3に示されるように、てこの機能を有する強弱調節棒300が設けられており、該強弱調節棒300には、図4に示されるように、強弱調整用固定バンド400が付着されることにより、強弱の調整が行われる。また、図3の強弱調節棒300から、図5に示されるようにワイヤローラー800を介してワイヤ長さ調節ターミナル500に、ワイヤを接続し、かつ、図2に示されるワイヤ201を図11に示されるフットプレート1100に接続することにより、強弱の調節を行う際に、利用者の所望する重量にて最大200kgまでレッグプレストレーニングをすることができることを、本発明の基本的な特徴とする。
【００１５】
図3に示されている、てこの機能を有する強弱調節棒300は、二種類として生産され、そのうち、一つは、1mmの単位で強弱を調節することが可能であり、もう一つは、一定の間隔にて形成された穴に強弱調整用固定バンド400がピン締結される位置に応じて、ワンタッチで強弱を調節することができることから、利用者の所望する強弱調節装置として構成・販売することができることを、本発明の基本的な特徴とする。
【００１６】
図4に示される強弱調整用固定バンド400を付着することにより強弱の調整を行うものであって、強弱調節棒300に付着される強弱調整用固定バンド400の位置に応じてワイヤ201の張力に差が生じ、合成樹脂であって強度面で防弾用として使用される素材を用いることにより、丈夫で、かつ、軽量で、更に、強弱の調節を容易で便利に１mmの単位で行うことができることを、本発明の基本的な特徴とする。
【００１７】
図5に示されるワイヤ長さ調節装置500により運動器具のワイヤの誤差範囲を高精度で制御することができることを、本発明の基本的な特徴とする。
【００１８】
図6は、強弱を調節する際に、てこの機能をする棒において、ジョイントの機能をするベアリングの箇所を拡大したものであって、ベアリング600が回転しないようにストッパーを設けており、該ストッパーは全てのジョイントの箇所に形成されていることを、本発明の基本的な特徴とする。
【００１９】
図7は、図3に図示の強弱調節棒300が往復で移動できるように、ゴムひも700を設けたことを拡大した図面であって、ゴムひもが長く伸び、良い弾性を有するように、細めのゴムひもより製造するが、細めのゴムひも20本を、編まれたナイロン糸で包むことを、本発明の基本的な特徴とする。
【００２０】
図8に示されるように、ワイヤ(ベルト)ローラー800を、図11に図示のフットプレート1100に対して水平とし、図3に図示された、てこの機能をする強弱調節棒300がスムーズに往復できるように、付着したことを、本発明の基本的な特徴とする。
【００２１】
図9に示されるように、フットプレート900が足の角度に応じて傾斜することにより、安楽なトレーニング環境を作ることを、本発明の基本的な特徴とする。
【００２２】
図10に示されるように、フットプレート緩衝装置1000を動かないように円くて厚いゴムにより固定し、騒音を防止することを、本発明の基本的な特徴とする。
【００２３】
図11に示されるように、フットプレートの両側に設けられるベアリング1100を、鉄からなるボールベアリングとし、該ボールベアリングの表面の一部が突出するようにPVC射出にて製造し、該フットプレートが中央フレーム1101を上下から包むことにより、丈夫で騒音がなく、スムーズに往復運動することができることを、本発明の基本的な特徴とする。
【００２４】
図12に示されるように、利用者の脚の長さに応じて背もたれ1200を前後方向に移動させ、また、背もたれを固定する固定装置を容易かつ便利なワンタッチ式としたことを、本発明の基本的な特徴とする。
【産業上の利用可能性】
【００２５】
現代人は、運動不足で種々の成人病に罹る恐れに晒されているが、本発明によると、重りを用いず、10kgから200kgまでウェイトを挙げるトレーニングをすることができ、また、サイズが小さいため、家庭で使用することができる一方、価格においても、通常のジムと比べて凡そ1／10しか掛からない。
【図１】
0006353980.tif 000002
【図２】
0006353980.tif 000003
【図３】
0006353980.tif 000004
【図４】
0006353980.tif 000005
【図５】
0006353980.tif 000006
【図６】
0006353980.tif 000007
【図７】
0006353980.tif 000008
【図８】
0006353980.tif 000009
【図９】
0006353980.tif 000010
【図１０】
0006353980.tif 000011
【図１１】
0006353980.tif 000012
【図１２】
0006353980.tif 000013
【図１３ａ】
0006353980.tif 000014
【図１３ｂ】
0006353980.tif 000015
【図１３ｃ】
0006353980.tif 000016
【図１３ｄ】
0006353980.tif 000017
【図１３ｅ】
0006353980.tif 000018
【図１３ｆ】
0006353980.tif 000019
【図１３ｇ】
0006353980.tif 000020